(57)【要約】【課題】簡単な機器構成により、検知対象ガスの濃度測定を、略連続的に且つ高い精度を持って安全に行い得るガス濃度測定設備及びその測定方法を提案する。【解決手段】被検査気体が送気される送気路と、送気路内の被検査気体に含まれる検知対象ガスの濃度を光学式センサによって測定するガス濃度測定装置と、送気路内に圧縮空気又は圧縮窒素を導入することで上記被検査気体を送気するエゼクタを備えた送気装置を具備する。係る構成によれば、送気路内を略一定の速度で流れる被検査気体中の検知対象ガスの濃度を略連続的に且つ正確に測定することができることから、濃度測定の精度及び信頼性に優れたガス濃度測定設備を提供できる。【選択図】  図１
2015105892.tif 000002
【特許請求の範囲】
【請求項１】
被検査気体を吸入する吸気口と検査終了後の被検査気体を排出する排気口を備えた送気路と、
上記送気路内を送気される被検査気体に含まれる検知対象ガスの濃度を光学式センサによって測定するガス濃度測定装置と、
上記送気路内に圧縮空気又は圧縮窒素を導入することで上記被検査気体を送気するエゼクタを備えた送気装置を具備することを特徴とするガス濃度測定設備。
【請求項２】
請求項１において、
上記光学式センサが、被検査気体に照射したレーザー光の作用によって出射されるラマン散乱光を計測して検知対象ガスの濃度を測定するように構成されたことを特徴とするガス濃度測定設備。
【請求項３】
請求項１において、
上記光学式センサが、被検査気体に照射した紫外線又は赤外線の吸収スペクトルを計測して検知対象ガスの濃度を測定するように構成されたことを特徴とするガス濃度測定設備。
【請求項４】
被検査気体を吸入する吸気口と検査終了後の被検査気体を排出する排気口を備えた送気路内にエゼクタにより圧縮空気又は圧縮窒素を導入して上記被検査気体を送気しながら、該被検査気体に含まれる検知対象ガスの濃度を光学式センサによって測定することを特徴とするガス濃度測定方法。
【発明の詳細な説明】
【技術分野】
【０００１】
本願発明は、空気等の被検査気体中に含まれる可燃性ガス等を検知し、あるいは可燃性ガス等の濃度を測定するためのガス濃度測定設備及び測定方法に関するものである。
【背景技術】
【０００２】
空気中には、自然現象により、あるいは環境の特性（例えば、各種のガスを扱う工場環境等）に基づいて各種のガス成分が含まれているが、この空気中に含まれたガス成分は、その種類及び濃度によっては、当該環境に在る人間の健康維持に悪影響を及ぼすとか、特にそのガス成分が可燃性ガスである場合には爆発の危険性に晒される、等の看過し難い問題の発生が懸念される。
【０００３】
係る問題の発生を回避するには、空気中に含まれるガス成分の濃度を常時測定してこれを監視することが必要であり、係る観点から、従来から各種のガス濃度測定手法が提案されている（特許文献１〜３  参照）。
【０００４】
特許文献１には、メタンガス等の可燃性ガスの濃度測定を、接触燃焼式ガスセンサを用いて行うようにした濃度測定装置が示されている。この濃度測定装置は、被測定ガスの濃度が所定の濃度となるように希釈用空気で希釈してゆき、特定濃度となったときの希釈倍率から被測定ガスの濃度を求めるものである。
なお、ここで使用される接触燃焼式ガスセンサは、コイル状の白金フィラメントに触媒をコーティングしたガス検知素子を備え、このガス検知素子を加熱しておき、ここに可燃性ガスを接触させて触媒作用による反応熱を発生させる。この反応熱によって上記フィラメントの温度が上昇するとその電気抵抗が増大するため、このフィラメントの電気抵抗を計測することで、該電気抵抗に対応するガス濃度を検知するものである。
【０００５】
特許文献２には、制電性樹脂材料からなるハウジング内に、接触燃焼式のガスセンサ、ガス吸引ポンプ、ポンプ駆動モータ等を収納して構成される防爆型可搬式のガス検知装置が示されている。
【０００６】
特許文献３には、赤外線の吸収スペクトルを計測して検知対象ガスの濃度を測定する光学式センサを用いたガス分析装置が示されている。
【先行技術文献】
【特許文献】
【０００７】
【特許文献１】特開２０００−８８７８７号公報
【特許文献２】特開２００５−８３８１１号公報
【特許文献３】特許第４６７７４６２号公報
【発明の概要】
【発明が解決しようとする課題】
【０００８】
ところが、特許文献１に示される濃度測定装置によれば、上記接触燃焼式ガスセンサが、ガス検知素子を加熱し、これに可燃性ガスを接触させて反応熱を発生させる構成であって、この加熱機構は可燃性ガスの爆発を引き起こす着火源となり得るものであって、濃度測定の安全性という面において問題がある。
【０００９】
また、化学反応により生じる熱によるフィラメントの温度変化に伴う電気抵抗の変化を利用して濃度測定を行う方式であるため、フィラメントへの可燃性ガスの接触時点と、実際に該フィラメントの温度が変化して電気抵抗の変化として現れるまでのタイムラグによってガス濃度の変化に対する追従性が緩慢となり、その結果、ガス濃度をリアルタイムに、且つ正確に測定することは困難である。
【００１０】
特許文献２に示される防爆型可搬式のガス検知装置では、制電性樹脂材料からなるハウジング内に、接触燃焼式のガスセンサ、ガス吸引ポンプ、ポンプ駆動モータ等を収納することで防爆構造としているものの、上記接触燃焼式のガスセンサ、ガス吸引ポンプ及びポンプ駆動モータは、可燃性ガスの着火源となり得るものであって、防爆に対する信頼性はさほど高くない。
【００１１】
また、防爆構造とすべく、上記ハウジング内に、接触燃焼式のガスセンサ、ガス吸引ポンプ、ポンプ駆動モータ等を収納した結果、該ガス検知装置の機器構成が複雑で且つ大型となり、コストアップを招来することになる。
【００１２】
特許文献３に示されるガス分析装置では、ガス濃度の測定に使用できる光学式センサを具備するものであって、検知対象ガスを吸引するための２台のポンプとして「１モータ２ヘッドポンプ」を例示している。しかし、係るポンプのモータ部分は可燃性ガスの着火源となり得るものであることから、安全性の確保という点から可燃性ガスの濃度測定設備には適用することはできない。
【００１３】
そこで本願発明は、簡単な機器構成により、被検査気体中における検知対象ガスの濃度測定を、略連続的に且つ高い精度を持って安全に行い得るようにしたガス濃度測定設備及びその測定方法を提案することを目的としてなされたものである。
【課題を解決するための手段】
【００１４】
本願発明ではかかる課題を解決するための具体的手段として次のような構成を採用している。
【００１５】
本願の第１の発明に係るガス濃度測定設備では、被検査気体を吸入する吸気口と検査終了後の被検査気体を排出する排気口を備えた送気路と、上記送気路内を送気される被検査気体に含まれる検知対象ガスの濃度を光学式センサによって測定するガス濃度測定装置と、上記送気路内に圧縮空気又は圧縮窒素を導入することで上記被検査気体を送気するエゼクタを備えた送気装置を具備することを特徴としている。
【００１６】
本願の第２の発明では、上記第１の発明に係るガス濃度測定設備において、上記光学式センサを、被検査気体に照射したレーザー光の作用によって出射されるラマン散乱光を計測して検知対象ガスの濃度を測定するように構成したことを特徴としている。
【００１７】
本願の第３の発明では、上記第１の発明に係るガス濃度測定設備において、上記光学式センサを、被検査気体に照射した紫外線又は赤外線の吸収スペクトルを計測して検知対象ガスの濃度を測定するように構成したことを特徴としている。
【００１８】
本願の第４の発明に係るガス濃度測定方法では、被検査気体を吸入する吸気口と検査終了後の被検査気体を排出する排気口を備えた送気路内にエゼクタにより圧縮空気又は圧縮窒素を導入して上記被検査気体を送気しながら、該被検査気体に含まれる検知対象ガスの濃度を光学式センサによって測定することを特徴としている。
【発明の効果】
【００１９】
（ａ）本願の第１の発明に係るガス濃度測定設備によれば、エゼクタにより送気路内に圧縮空気又は圧縮窒素を導入することで被検査気体を送気するようにしているので、例えば、ダイヤフラムポンプを用いた送気のような脈動を生じることなく、略一定速度で送気することができる。
【００２０】
また、被検査気体に含まれる検知対象ガスの濃度測定を光学式センサで行うようにしているところ、この光学式センサは、例えば、化学反応を利用した接触式センサに比して、検知対象ガスの濃度変化に対する反応速度が高いという特徴がある。
【００２１】
したがって、これらの相乗効果として、被検査気体中の検知対象ガスの濃度を、途切れることなく、あるいは数秒間隔で略連続的に且つ正確に測定することができ、延いては検知対象ガスの濃度の継時的変化を、リアルタイムで監視したり、高精度に分析したりすることができるなど、濃度測定の精度及び信頼性、並びに利用形態の多様化への適用性に優れたガス濃度測定設備を提供できる。
【００２２】
また、このガス濃度測定設備では、送気路内には光学式センサとエゼクタが配置されるのみで、点火源となり得る構造を有していないことから、検知対象ガスが可燃性ガスであったとしても送気路内において爆発が発生する恐れがなく、この結果、当該設備の高度の安全性が確保されるとともに、当該設備全体を非防爆仕様として設備コストを低く抑えることができる。
【００２３】
さらに、このガス濃度測定設備では、濃度検査終了後の被検査気体を、エゼクタによって導入される圧縮空気又は圧縮窒素で希釈した状態で排出する構成であることから、例えば、検知対象ガスが可燃性ガスとか有害ガスであったとしても比較的安全な状態として排出することができるなど、安全性に優れたガス濃度測定設備を提供できる。
【００２４】
（ｂ）本願の第２の発明に係るガス濃度測定設備によれば、上記（ａ）に記載の効果に加えて、以下のような特有の効果が得られる。即ち、この発明では、上記光学式センサを、被検査気体に照射したレーザー光の作用によって出射されるラマン散乱光を計測して検知対象ガスの濃度を測定するように構成したので、例え検知対象ガスが紫外線を吸収しない水素ガス等であってもその濃度を測定することができるなど、検知対象ガスの種類に対する適用性の高いガス濃度測定設備を提供できる。
【００２５】
また、このガス濃度測定設備では、例えば、ラマン散乱光の受光器に、可変式の光学バンドパスフィルタを採用すれば、一つの設備で複数種類の検知対象ガスの濃度測定ができるなど汎用性に優れたガス濃度測定設備を提供できる。
【００２６】
（ｃ）本願の第３の発明に係るガス濃度測定設備によれば、上記（ａ）に記載の効果に加えて、以下のような特有の効果が得られる。即ち、この発明では、上記光学式センサを、被検査気体に照射した紫外線又は赤外線の吸収スペクトルを計測して検知対象ガスの濃度を測定するように構成しているので、例えば、高価で比較的大きなレーザー光の生成装置を必要とせず、設備全体を安価且つ小型にすることができる。
【００２７】
（ｄ）本願の第４の発明に係るガス濃度測定方法によれば、被検査気体を吸入する吸気口と検査終了後の被検査気体を排出する排気口を備えた送気路内にエゼクタにより圧縮空気又は圧縮窒素を導入して上記被検査気体を送気しながら、該被検査気体に含まれる検知対象ガスの濃度を光学式センサによって測定することから、略連続的な濃度測定が可能であり、例えば、検知対象ガスの濃度の継時的変化を、リアルタイムで監視したり、高精度に分析したりすることができる。
【図面の簡単な説明】
【００２８】
【図１】本願発明の第１の実施形態に係るガス濃度測定設備の全体システム図である。
【図２】本願発明の第２の実施形態に係るガス濃度測定設備の全体システム図である。
【図３】本願発明の第３の実施形態に係るガス濃度測定設備の全体システム図である。
【図４】ラマン散乱光学系の光学式センサの説明図である。
【図５】光吸収光学系の光学式センサの説明図である。
【発明を実施するための形態】
【００２９】
以下、本願発明を好適な実施形態に基づいて具体的に説明する。
【００３０】
Ａ：第１の実施形態
図１には、本願発明の第１の実施形態に係るガス濃度測定設備Ｚ１を示している。このガス濃度測定設備Ｚ１は、例えば、工場建屋の作業空間５２内の空気中に含まれる可燃性ガスの濃度を測定するものであって、作業空間５２内の空気Ａ（即ち、特許請求の範囲中の「被検査気体」に該当する）を採集して送気する送気路１と、該各送気路１内の空気Ａに含まれる検知対象ガスの濃度を測定するガス濃度測定装置２と、上記空気Ａを上記送気路１を通して送気する送気装置４を備えて構成される。
【００３１】
「送気路１」
上記送気路１は、天井５１を挟んで上記作業空間５２の上方に隣接する天井裏空間５３内に配置されるが、この実施形態ではこの送気路１を三本備えており、これら各送気路１の上流端に位置する各吸気口１１は、それぞれ個別に上記作業空間５２の上部空間に臨んで開口している。また、これら三本の送気路１は、それぞれ後述の光学式センサ２２（又は光学式センサ３２）と流量調整弁５を備えるとともに、上記各流量調整弁５よりも下流側において一本に集合して集合路１ａとされる。そして、この集合路１ａの中間位置に後述のエゼクタ３が介設されるとともに、その下流端に位置する排気口１２は排気ダクト１３に接続されている。
【００３２】
なお、図１では作図の便宜上、上記各送気路１の各吸気口１１を接近状態で示しているが、実際的には、これら各送気路１は適度に離間させて配置されるとか、それぞれ別の作業空間５２に分離して配置されるなど、その設置位置は任意に設定されるものである。
【００３３】
「ガス濃度測定装置２」
上記ガス濃度測定装置２は、次述する光学式センサ２２又は光学式センサ３２と電子機器８で構成される。
【００３４】
「光学式センサ」
光学式センサは、上記送気路１の途中に介設されて上記空気Ａに含まれる検知対象ガスの濃度に関する情報を取得するものであって、ラマン散乱光学系の光学式センサ２２と光吸収光学系の光学式センサ３２が知られているが、ここではこれら各光学式センサの構造等を簡単に説明する。
【００３５】
「ラマン散乱光学系の光学式センサ２２」
図４に示す光学式センサ２２は、ラマン散乱光学系の光学式センサであって、受光側光ファイバー４２に接続されたフェルール２４Ａとその直前に位置するマイクロレンズ２４Ｂからなる一対の受光側ユニット２４と、入射側光ファイバー４１に接続されたフェルール２６Ａとその直前に位置するマイクロレンズ２６Ｂからなる入射側ユニット２６を備えている。また、この一対の受光側ユニット２４と入射側ユニット２６は、上記入射側ユニット２６の左右両側に上記一対の受光側ユニット２４をそれぞれ位置させるとともに、上記一対の受光側ユニット２４の軸線が上記入射側ユニット２６の軸線上で交差するようにその取付角度が設定された状態で、マイクロ光学ベンチ２８上に固定されている。そして、この光学式センサ２２を、上記送気路１の途中に介設されたガスセル２１内に収納している。
【００３６】
なお、上記光学式センサ２２は、図１に示すように、上記入射側光ファイバー４１及び受光側光ファイバー４２によって接続された電子機器８とともにガス濃度測定装置２を構成する。また、上記電子機器８には、レーザー生成装置と受光器が含まれ、該レーザー生成装置で生成されたレーザー光を上記入射側ユニット２６から照射させるとともに、上記受光側ユニット２４で受光したラマン散乱光を上記受光器にて受光するようになっている。なお、図１では、作図の便宜上、上記入射側光ファイバー４１と受光側光ファイバー４２をまとめて光ファイバー９として表示している（次述の光吸収光学系の光学式センサにおいても同様）。
【００３７】
したがって、このガス濃度測定装置２では、上記ガスセル２１内に上記送気路１から空気Ａを導入した状態で、上記光学式センサ２２の上記入射側ユニット２６から該空気Ａに向けてレーザー光を照射し、このレーザー光の作用によって出射されるラマン散乱光を上記一対の受光側ユニット２４により受光し、これを上記電子機器８の受光器に伝送する。この伝送データを受けて、上記受光器ではラマン散乱光の強度から検知対象ガスの濃度を求め、これをガス濃度の測定結果として出力する。
【００３８】
「光吸収光学系の光学式センサ３２」
図５に示す光学式センサ３２は、光吸収光学系の光学式センサであって、入射側光ファイバー４３に接続されたフェルール３４Ａとその直前に位置するマイクロレンズ３４Ｂからなる入射側ユニット３４と、受光側光ファイバー４４に接続されたフェルール３６Ａとその直前に位置するマイクロレンズ３６Ｂからなる受光側ユニット３６を、所定の交差角をもってマイクロ光学ベンチ３３上に配置するとともに、これら入射側ユニット３４の軸線と受光側ユニット３６の軸線の略交点位置にマイクロミラー３８を配置している。そして、この光学式センサ３２を、上記送気路１の途中に介設されたガスセル３１内に収納している。
【００３９】
また、図１に示すように、上記光学式センサ３２と上記電子機器８によって上記ガス濃度測定装置２が構成されるが、この場合における上記電子機器８には、紫外線又は赤外線の光源と分光器が含まれ、該光源からの紫外線又は赤外線を上記入射側ユニット３４から空気Ａに向けて照射するとともに、その反射光を上記受光側ユニット３６で受光し、これを上記分光器に伝送する。上記分光器では、反射光の吸収スペクトルを測定し、検知対象ガスの濃度をもとめ、これをガス濃度の測定結果として出力する。
【００４０】
「送気装置４」
上記送気装置４は、上記各送気路１の集合路１ａに介設されたエゼクタ３により構成される。このエゼクタ３は、従来周知であって、絞り部を持つ主流路３ａと、該主流路３ａの絞り部の直前位置に連通する副流路３ｂを備える。そして、上記エゼクタ３の上記主流路３ａの上流端には、送風路１０を介してエアチャンバー又はアキュムレーター等の蓄圧器６が接続されており、該主流路３ａには該蓄圧器６を介してコンプレッサ７によって生成された圧縮空気が導入される。
【００４１】
また、上記エゼクタ３の副流路３ｂには上記集合路１ａの上流側部分が接続される一方、上記主流路３ａの下流端には上記集合路１ａの下流側部分が接続されている。したがって、上記エゼクタ３の主流路３ａに上記蓄圧器６から圧縮空気が導入されると、この圧縮空気の絞りに伴う負圧吸引力が上記副流路３ｂ部分に作用し（いわゆるエゼクタ効果）、上記作業空間５２側の空気Ａは、上記吸気口１１から上記送気路１内に吸入されたのち、上記エゼクタ３の副流路３ｂ及び主流路３ａを経て上記排気口１２側へ送気される。
なお、上記エゼクタ３の主流路３ａに導入される気体としては、上記圧縮空気が一般的であるが、これに代えて不活性ガスである圧縮窒素を導入することも可能である。
【００４２】
なお、上記コンプレッサ７は、上記天井裏空間５３とは異なる非防爆エリア５０に設置されており、該コンプレッサ７が防爆仕様でなくとも、上記天井裏空間５３側の防爆性には何ら影響はない。また、上記電子機器８も、上記コンプレッサ７と同様に、上記作業空間５２とは異なる非防爆エリア５０に設置されている。
【００４３】
さらに、上記送気路１の上記光学式センサ２２又は光学式センサ３２ｃｃよりも下流側位置に流量調整弁５が設けられているが、この流量調整弁５は主として上記送気路１を通って送気される空気Ａの送気量を調整するものであり、防爆性を考慮して、例えば、エアアクチュエータにより駆動させるようになっている。
【００４４】
「作動説明」
続いて、上記ガス濃度測定設備Ｚ１の作動等について説明する。
【００４５】
上記送気装置４のエゼクタ３に送風路１０を介して上記蓄圧器６から圧縮空気が導入されると、エゼクタ効果によって上記送気路１に負圧吸引力が作用し、上記作業空間５２側の空気Ａは、その吸気口１１から吸入され、上記ガス濃度測定装置２の光学式センサ２２又は光学式センサ３２を通り、さらに上記エゼクタ３を通って上記排気口１２から上記排気ダクト１３側へ排出される。
【００４６】
そして、上記各送気路１の各光学式センサ２２又は光学式センサ３２においてラマン散乱光又は吸収スペクトルが取得され、この取得情報に基づき上記電子機器８において検知対象ガスの濃度が求められる。即ち、上記ガス濃度測定装置２による濃度測定が実行される。そして、上記ガス濃度測定装置２での濃度測定が終了した空気Ａは、上記エゼクタ３を通って上記排気口１２から上記排気ダクト１３側へ排出される。
【００４７】
上述のように構成されたガス濃度測定設備Ｚ１においては、以下のような特有の作用効果が奏せられる。
【００４８】
（イ）このガス濃度測定設備Ｚ１では、上記エゼクタ３のエゼクタ効果を利用して上記作業空間５２側から空気Ａを吸入しこれを上記ガス濃度測定装置２側へ送気する構成であることから、例えば、ダイヤフラムポンプを用いた送気のような脈動を生じることなく、略一定速度で送気することができ、上記光学式センサ２２又は光学式センサ３２による安定した測定が可能となる。
【００４９】
また、被検査気体である上記空気Ａに含まれる検知対象ガスの濃度測定を、ラマン散乱光学系の光学式センサ２２又は光吸収光学系の光学式センサ３２を用いて行うようにしているが、このような光学式センサ２２又は光学式センサ３２では、例えば、化学反応を利用した接触式センサに比して、検知対象ガスの濃度変化に対する反応速度が高く、空気Ａ中の検知対象ガスの濃度を、途切れることなく、あるいは数秒間隔で略連続的に且つ正確に測定することができる。
【００５０】
これら両者の相乗効果として、例えば、検知対象ガスの濃度の継時的変化を、リアルタイムで監視したり、高精度に分析したりすることができるなど、濃度測定の精度及び信頼性、並びに利用形態の多様化への適用性に優れたガス濃度測定設備を得ることができる。
【００５１】
（ロ）このガス濃度測定設備Ｚ１では、上記各送気路１内には上記光学式センサ２２又は光学式センサ３２と上記エゼクタ３が配置されるのみで、点火源となり得る構造を有していないことから、例えば、検知対象ガスが可燃性ガスであったとしても上記送気路１内において爆発が発生するような恐れが皆無である。この結果、当該設備の高度の安全性が確保されその信頼性が高められるとともに、該ガス濃度測定設備Ｚ１の全体を非防爆仕様として設備コストを低く抑えることができる。
【００５２】
（ハ）このガス濃度測定設備Ｚ１では、濃度検査終了後の空気Ａを、上記エゼクタ３において圧縮空気で希釈して排出する構成であることから、例えば、検知対象ガスが可燃性ガスとか有害ガスであったとしても比較的安全な状態として排出することができるなど、濃度検査終了後においても高い安全性及び信頼性が確保されるものである。
【００５３】
（ニ）このガス濃度測定設備Ｚ１では、光学式センサとして、ラマン散乱光学系の光学式センサ２２又は光吸収光学系の光学式センサ３２を用いるようにしており、例えば、ラマン散乱光学系の光学式センサ２２を採用した場合には、例え検知対象ガスが紫外線を吸収しない水素ガス等であってもその濃度を測定することができるなど、検知対象ガスの種類に対する適用性が高められ、また光吸収光学系の光学式センサ３２を採用した場合には、例えば、高価で比較的大きなレーザー光の生成装置を必要としないことから、設備全体を安価且つ小型にすることができる。
【００５４】
さらに、ラマン散乱光学系の光学式センサ２２を採用した場合には、例えば、ラマン散乱光の受光器に、可変式の光学バンドパスフィルタを採用すれば、一つの設備で複数種類の検知対象ガスの濃度測定ができるなど汎用性が向上する。
【００５５】
（ホ）この実施形態のガス濃度測定設備Ｚ１では、三本の送気路１における送気を単一のエゼクタ３によって行うようにしてあり、さらに該各送気路１には流量調整弁５が設置されているので、該各送気路１における送気速度の均一化が容易であり、延いては上記各ガス濃度測定装置２間における濃度測定値のバラツキを可及的に抑えることができ、測定精度の信頼性が向上する。
【００５６】
Ｂ：第２の実施形態
図２には、本願発明の第２の実施形態に係るガス濃度測定設備Ｚ２を示している。このガス濃度測定設備Ｚ２は、上記第１の実施形態に係るガス濃度測定設備Ｚ１の変形例であって、これと異なる点は、上記三本の送気路１毎に上記エゼクタ３を備えた点である。
【００５７】
このように、上記各送気路１毎に専用のエゼクタ３を設けた場合には、該各送気路１にそれぞれ作用する送気作用（負圧吸引作用）が独立し、他の送気路１における送気作用の影響を受けることがないことから、例えば、該送気路１の吸気口１１の設置位置が大きく離れているような場合（したがって、上記送気路１の通路長さが異なり、それに対応して通路抵抗に大きな差があるような場合）でも、その影響を最小限に抑えて、信頼性の高い濃度測定を実現することができる。
【００５８】
なお、上記以外の作用効果については上記第１の実施形態の場合と同様であるので、これを援用し、ここでの説明を省略する。
【００５９】
Ｃ：第３の実施形態
図３には、本願発明の第３の実施形態に係るガス濃度測定設備Ｚ３を示している。このガス濃度測定設備Ｚ３では、三本の上記送気路１のそれぞれに上記エゼクタ３と流量調整弁５を配置する一方、上記各流量調整弁５の下流側においてこれら三本の送気路１を集合させて集合路１ａとし、この集合路１ａに上記光学式センサ２２又は光学式センサ３２を配置している。また、上記各エゼクタ３の主流路３ａの上流端には上記送風路１０を介して上記蓄圧器６が接続されている。
【００６０】
そして、このガス濃度測定設備Ｚ３では、上記各送気路１にそれぞれ設けた上記流量調整弁５の開閉によって、該各送気路１を択一的に上記光学式センサ２２又は光学式センサ３２に接続するようにしている。
【００６１】
即ち、このガス濃度測定設備Ｚ３は、単一の上記光学式センサ２２又は光学式センサ３２によって上記各送気路１内を流れる空気Ａの濃度測定を択一的に行うものであって、比較的高価な上記光学式センサ２２又は光学式センサ３２の設置個数を減らすことで低コスト化を図ったものである。
【００６２】
なお、上記以外の作用効果については上記第１の実施形態の場合と同様であるので、これを援用し、ここでの説明を省略する。
【００６３】
「その他」
上記各実施形態では上記送気路１を三本備えたものを例にとって説明したが、この送気路１の設置個数はこれに限定されるものではなく、必要に応じて任意に設定できるものである。
【産業上の利用可能性】
【００６４】
本願発明に係るガス濃度測定設備及び測定方法は、例えば可燃性ガスとか有害ガスを扱う設備において、環境雰囲気中に含まれるガス成分の濃度測定において利用される。
【符号の説明】
【００６５】
１    ・・送気路
２    ・・ガス濃度測定装置
３    ・・エゼクタ
４    ・・送気装置
５    ・・流量調整弁
６    ・・蓄圧器
７    ・・コンプレッサ
８    ・・電子機器
９    ・・光ファイバー
１０  ・・送風路
１１  ・・吸気口
１２  ・・排気口
１３  ・・排気ダクト
Ｚ１〜Ｚ３・・ガス濃度測定設備
【図１】
2015105892.tif 000003
【図２】
2015105892.tif 000004
【図３】
2015105892.tif 000005
【図４】
2015105892.tif 000006
【図５】
2015105892.tif 000007